(57)【特許請求の範囲】
【請求項１】
複数のＡＶ装置を中継装置を介して一つのリモコンで遠隔制御する遠隔制御システムにおいて、
前記リモコンは、
ディスプレイ装置上に前記複数のＡＶ機器をそれぞれ示すメインメニュー、前記メインメニューのサブメニュー、前記サブメニューの調整メニューに分類されるメニューをディスプレイするためのメニュー選択キーと、
前記ディスプレイ装置上にディスプレイされる前記メインメニュー、サブメニュー及び調整メニューを選択及び調整するためにカーソルを移動させるためのカーソル移動手段と、
前記カーソルが現在位置したメニューを実行させるためのエンターキーと、
前記メニュー選択キー及び前記エンターキーを含む複数のキーと、
前記複数のキーのそれぞれに該当する信号を伝送し、前記カーソル移動手段に該当する信号を伝送するための第１伝送手段と、
前記中継装置の第２伝送手段から伝送される該当するコード信号を受信する第３受信手段と、
前記第３受信手段により受信された前記該当するコード信号を変形して前記第１伝送手段に提供する信号変形手段とを有し、
前記中継装置は、
前記第１伝送手段から伝送される前記カーソル移動手段に該当する信号及び複数のキーそれぞれに該当する信号のうち一つを受信する第１受信手段と、
前記リモコンのメニュー選択キーをユーザが押すことにより前記複数のＡＶ装置それぞれに該当する前記メインメニュー、該メインメニューのサブメニュー、前記サブメニューの調整メニューをディスプレイし、前記カーソルをディスプレイするためのディスプレイ手段と、
前記メインメニュー、サブメニュー、調整メニューそれぞれに該当する複数のコード信号それぞれをコーディングした後前記複数のコード信号を貯蔵する貯蔵手段と、
前記リモコンのエンターキーをユーザが押すことにより該当するＡＶ装置にカーソルを位置させた調整メニュー、サブメニュー、メインメニューのうち一つの該当するコード信号を伝送するための前記第２伝送手段と、
前記第１受信手段により受信された前記カーソル移動手段に該当する信号及び複数キーそれぞれに該当する信号のうち一つを認識して動作を制御し、前記認識によりメインメニュー、サブメニュー、調整メニュー及びカーソルのうち少なくとも一つをディスプレイし、前記貯蔵手段に複数のコード信号を貯蔵し、前記第２伝送手段を通して該当するコード信号を伝送する制御手段とを有し、
前記第１伝送手段は、前記信号変形手段から提供されたコード信号を前記ＡＶ装置に伝送することを特徴とする遠隔制御システム。
【請求項２】
前記信号変形手段は、前記第３受信手段により受信された信号を前記第２伝送手段から伝送される信号と干渉のない範囲内のコード信号に変形することを特徴とする請求項１に記載の遠隔制御システム。
【発明の詳細な説明】
【０００１】
【産業上の利用分野】
本発明はＡＶ（Ａｕｄｉｏ  Ｖｉｓｉｏｎ）機器の遠隔制御方法およびそのシステムに係り、特に１つのリモコンで複数のＡＶ機器を制御する遠隔制御システムに関する。
【０００２】
【従来の技術】
通常、被制御器は自体の制御器を有する。また、被制御器を制御する方法中の１つは無線で被制御器を制御する遠隔制御方法がある。遠隔制御方法は所定の距離で被制御器を制御し得る有用な機能を提供する。
現在に家庭でテレビジョンを視聴しようとする際、最も先に探すものがリモコンである。使用者はテレビジョンが手元にあるとしてもリモコンがあってこそ安心してテレビジョンを見はじめる。すなわち、リモコンはあまりにも慣れている。その理由は前述したように、所定の距離に離れているテレビジョンをじっと座って制御することができるからである。また、リモコンはテレビジョンにのみ必要なものではない。ビデオテ−プレコ−ダをテレビジョンに連結して映画を視聴しようとする場合、ビデオテ−プレコ−ダ用およびテレビジョン用の２つのリモコンが必要である。
【０００３】
すなわち、使用者が２つ以上のＡＶ機器を同時に制御しようとする時、使用しょうとするＡＶ機器の数に該当するリモコンが求められる。
一方、複数のＡＶ機器を同時に制御する場合でなくても、１つのリモコンで好みのＡＶ機器が制御できれば使用者はさらに便利さを感じることであろう。
【０００４】
【発明が解決しようとする課題】
本発明の目的は、１つのリモコンで複数のＡＶ機器を同時にまたは独立に制御できるようにする遠隔制御システムを提供することにある。
【０００６】
【課題を達成するための手段】
複数のＡＶ装置を中継装置を介して一つのリモコンで遠隔制御する遠隔制御システムにおいて、前記リモコンは、ディスプレイ装置上に前記複数のＡＶ機器をそれぞれ示すメインメニュー、前記メインメニューのサブメニュー、前記サブメニューの調整メニューに分類されるメニューをディスプレイするためのメニュー選択キーと、前記ディスプレイ装置上にディスプレイされる前記メインメニュー、サブメニュー及び調整メニューを選択及び調整するためにカーソルを移動させるためのカーソル移動手段と、前記カーソルが現在位置したメニューを実行させるためのエンターキーと、前記メニュー選択キー及び前記エンターキーを含む複数のキーと、前記複数のキーのそれぞれに該当する信号を伝送し、前記カーソル移動手段に該当する信号を伝送するための第１伝送手段と、前記中継装置の第２伝送手段から伝送される該当するコード信号を受信する第３受信手段と、前記第３受信手段により受信された前記該当するコード信号を変形して前記第１伝送手段に提供する信号変形手段とを有し、前記中継装置は、前記第１伝送手段から伝送される前記カーソル移動手段に該当する信号及び複数のキーそれぞれに該当する信号のうち一つを受信する第１受信手段と、前記リモコンのメニュー選択キーをユーザが押すことにより前記複数のＡＶ装置それぞれに該当する前記メインメニュー、該メインメニューのサブメニュー、前記サブメニューの調整メニューをディスプレイし、前記カーソルをディスプレイするためのディスプレイ手段と、前記メインメニュー、サブメニュー、調整メニューそれぞれに該当する複数のコード信号それぞれをコーディングした後前記複数のコード信号を貯蔵する貯蔵手段と、前記リモコンのエンターキーをユーザが押すことにより該当するＡＶ装置にカーソルを位置させた調整メニュー、サブメニュー、メインメニューのうち一つの該当するコード信号を伝送するための前記第２伝送手段と、前記第１受信手段により受信された前記カーソル移動手段に該当する信号及び複数キーそれぞれに該当する信号のうち一つを認識して動作を制御し、前記認識によりメインメニュー、サブメニュー、調整メニュー及びカーソルのうち少なくとも一つをディスプレイし、前記貯蔵手段に複数のコード信号を貯蔵し、前記第２伝送手段を通して該当するコード信号を伝送する制御手段とを有し、前記第１伝送手段は、前記信号変形手段から提供されたコード信号を前記ＡＶ装置に伝送することを特徴とする。
【０００７】
【作用】
制御しようとするＡＶ機器のメニュ−アイコンをディスプレイさせカ−ソルを調整して所望のメニュ−の機能を選択し実行することにより、１つのリモコンで複数のＡＶ機器を同時にまたは独立に制御できる。
【０００８】
【実施例】
以下、添付した図面に基づき本発明の実施例を詳細に説明する。
図１は本発明の一実施例による遠隔制御システムを説明するための概略図である。図１において、参照符号１００はリモコンで、１０２は遠隔制御中継装置であり、１０４ａ，１０４ｂ，…，１０４ｎはＡＶ機器である。遠隔制御中継装置１０２にメニュ−とカ−ソルをディスプレイさせ、リモコン１００でカ−ソルを移動させ所望のメニュ−上にカ−ソルを位置させ、リモコン１００の入力キ−の押しにより選択されたメニュ−が実行される。メニュ−の実行は遠隔制御中継装置１０２に貯蔵されたメニュ−のコ−ド信号がそれぞれのＡＶ機器１０４ａ，１０４ｂ，…，１０４ｎに伝送され遂行される。図１において、遠隔制御中継装置１０２は少なくともディスプレイ手段、信号の送受信手段、所定のメニュ−の内容を記憶している貯蔵手段および制御手段を含む。テレビジョンはテレビジョンの固有の機能によりディスプレイ装置が備えられているために、遠隔制御中継装置の信号の送受信装置、貯蔵装置および制御装置を追加して備えれば適切な遠隔制御中継装置として機能を遂行することができる。
【０００９】
すると、リモコンと遠隔制御中継装置および複数のＡＶ機器からなる本発明による遠隔制御方法を説明する。
図２は本発明による遠隔制御方法を説明するための図面である。図２において、遠隔制御方法はメニュ−貯蔵段階２００、メニュ−ディスプレイ段階２０２、メニュ−選択段階２０４、メニュ−コ−ド伝送段階２０６およびメニュ−実行段階２０８からなる。
【００１０】
前記メニュ−貯蔵段階２００は少なくとも２つ以上のＡＶ機器を段階的に制御するために、それぞれのＡＶ機器の制御信号をメインメニュ−、サブメニュ−および調整モ−ドに分類し、それぞれのメニュ−に該当する信号をコ−ド化して貯蔵する段階であり、前記メニュ−ディスプレイ段階２０２は前記メニュ−貯蔵段階２００に貯蔵された１つまたは２つ以上のＡＶ機器のメニュ−を所定のディスプレイ装置上にディスプレイする段階である。前記メニュ−選択段階２０４は前記メニュ−ディスプレイ段階２０２でディスプレイされたメニュ−をディスプレイ装置上で選択するための段階であり、前記メニュ−コ−ド伝送段階２０６は前記メニュ−選択段階２０４で選択されたメニュ−を認識し、前記メニュ−貯蔵段階２００に貯蔵されたメニュ−のコ−ドを発生してそれぞれのＡＶ機器の所定の受信装置に伝送する段階であり、前記メニュ−実行段階２０８は前記メニュ−コ−ド伝送段階２０６から伝送された信号を受信してメニュ−を実行する段階である。
【００１１】
図３は本発明の一実施例による遠隔制御システムを説明するための詳細図である。リモコン１００とそれぞれのＡＶ機器１０４ａ，１０４ｂ，…，１０４ｎを連結する遠隔制御中継装置１０２が存在するのが本発明の外観的な特徴である。リモコン１００は少なくともメニュ−選択のためのメニュ−ディスプレイングキ−３００、カ−ソル移動手段３０２、入力キ−３０４および第１伝送手段３０６を持っている。遠隔制御中継装置１０２は少なくともリモコンの伝送手段により伝送された信号を受信するための第１受信手段３０８、メニュ−（メインメニュ−、サブメニュ−および調整モ−ド）のディスプレイのためのディスプレイ手段３１０、前記メニュ−のコ−ドを貯蔵している貯蔵手段３１２、選択されたメニュ−のコ−ド信号をＡＶ機器に伝送する第２伝送手段３１４および前記諸般の手段を制御するための制御手段３１６を持っている。それぞれのＡＶ機器１０４ａ，１０４ｂ，…，１０４ｎは相異なる機器であり、相異なるコ−ドに定型化されており、認識するコ−ドも別の第２受信手段３１８ａ，３１８ｂ，…，３１８ｎを持っている。
【００１２】
リモコン１００のメニュ−ディスプレイングキ−３００を押すと、第１伝送手段３０６を通じてメニュ−ディスプレイングキ−３００の固有のコ−ド信号が伝送される。第１伝送手段３０６を通じて伝送された信号は遠隔制御中継装置１０２の第１受信手段３０８で受信される。制御手段３１６は第１受信手段３０８で受信された信号を認識し、ディスプレイ手段３１０にメニュ−をディスプレイすることを命ずる。
【００１３】
図４はディスプレイ装置上にメインメニュ−がディスプレイされた一実施例を示す図面である。図４は所定の過程を通じて遠隔制御中継装置内の設定されたＡＶ機器を示す。図４において、参照符号４００はディスプレイ装置、４０２は‘ＴＶ’、４０４は‘ＶＴＲ’、４０６は‘ＣＤＰ’（コンパクトディスクプレイヤ）、４０８は‘オ−ディオシステム’、４０１はカ−ソルである。図４に示すＡＶ機器は一実施例である。現在にカ−ソルは‘ＶＴＲ’に位置する。リモコン１００のカ−ソル移動手段３０２を通じてカ−ソルの位置を移動することができる。所定のカ−ソル移動手段３０２の固有のコ−ド信号が第１伝送手段３０２を通じて伝送される。伝送された信号は第１受信手段３０８により受信され制御手段３１６により認識されてカ−ソルが当該位置に位置する。入力キ−３０４を押すと現在カ−ソルが位置するメニュ−の機能が実現される。これはリモコン１００の入力キ−３０４の固有のコ−ド信号が第１伝送手段３０６を通じて伝送され、第１受信手段３０８が伝送されたコ−ド信号を受信して制御手段３１６が認識し、現在カ−ソルが位置しているメニュ−の固有コ−ドが貯蔵手段３１２から呼び出されて第２伝送手段を通じて各ＡＶ機器に伝送され、各ＡＶ機器１０４の第２受信手段３１８が信号を受信して該当するコ−ド信号を認識する。
【００１４】
本発明はリモコンの所定信号が遠隔制御中継装置に伝送され所定の過程を経てＡＶ機器に伝送されるものである。これは図１の図面から容易に理解できる。次に、本発明の基本概念と同様のさらに他の実施例を提示する。図５は本発明のさらに他の実施例であり、遠隔制御システムを説明するための概略図である。図５において、参照符号５００はリモコン、５０２は遠隔制御中継装置、５０４ａ，５０４ｂ，…，５０４ｎは複数のＡＶ機器である。また、５１０はリモコン５００から遠隔制御中継装置５０２に伝送される信号、５１２は遠隔制御中継装置５０２からリモコン５００に所定の過程を経た後に再伝送される信号、５１４はリモコン５００からそれぞれのＡＶ機器５０４に伝送される信号である。前記図１とは異なる、さらに他の実施例である。図５によるさらに他の実施例は基本的に図１による本発明の１つの実施例を反映する。すなわち、図５の実施例の基本的な概念は図１の概念と同様である。
【００１５】
前記図５によるリモコン５００、遠隔制御中継装置５０２およびＡＶ機器５０４を図１と比較して説明する。
先ず、図５のリモコン５００が図１のリモコン１００の機能に追加される要素は遠隔制御中継装置５０２の伝送信号を受信して、最初に遠隔制御中継装置５０２に伝送された信号と信号上の干渉の余地のない信号に変形して、ＡＶ機器５０４の受信手段に伝送する。
【００１６】
すなわち、図５によるリモコン５００は図１によるリモコン１００に所定の受信手段と信号変形手段が追加され構成される。図６は図５の遠隔制御システムを説明するための詳細図である。図６において、参照符号５００、５０２および５０４は図５のリモコン、遠隔制御中継装置および複数のＡＶ機器である。リモコン５００のメニュ−ディスプレイングキ−３００、カ−ソル移動手段３０２、入力キ−３０４および第１伝送手段３０６は図３で説明した部分と同一であってこの部分の説明は省略する。６００は第３受信手段として第２伝送手段３１４から伝送された信号を受信し、６０２は信号変形手段として第３受信手段６００で受信した信号のコ−ドを、第２伝送手段３１４から伝送される信号と干渉のない範囲内のコ−ドに変形する手段である。遠隔制御中継装置５０２は図３で説明した部分と同一であってこの部分の説明は省略する。それぞれのＡＶ機器５０４は図３と同様の第２受信手段３１８を有する。このそれぞれのＡＶ機器の第２受信手段３１８は信号変形手段６０２で変形され、第１伝送手段３０６を通じて伝送される信号を認識する。
【００１７】
リモコン５００のメニュ−ディスプレイング器３００、カ−ソル移動手段３０２および入力キ−３０４は第１伝送手段３０６を通じて遠隔制御中継装置５０２の第１受信手段３０８に伝送される。遠隔制御中継装置５０２内の所定の過程は図３で説明した部分と同様であってこの部分の説明は省略する。遠隔制御中継装置５０２の第２伝送手段３１４から伝送された信号はリモコン５００の第３受信手段６００で受信し、信号変形手段６０２で受信された信号を変形させる。もし、第２伝送手段３１４の信号を変換せずそのままリモコン５００の第３受信手段６００を経て第１伝送手段３０６から伝送すれば、ＡＶ機器３０４の第２受信手段３１８で些かの問題が発生する。例えば、電源キ−のように交代にオン／オフが実行されるトグルキ−の場合、遠隔制御中継装置５０２の第２伝送手段３１４から伝送されてきた信号により‘オン’状態から‘オフ’状態に変換された後、リモコン５００の第３受信手段６００を経て第１伝送手段３０６から伝送されてきた同一の信号により‘オフ’状態から‘オン’状態に再び復帰するであろう。これは使用者をして遠隔制御操作の混沌をもたらす原因となる。このような混沌を防止するために、リモコン５００の第３受信手段６００で受信された信号を変形しなければならない。
【００１８】
【発明の効果】
以上で説明したように、本発明による遠隔制御システムは１つのリモコンで複数のＡＶ機器を同時にまたは独立に制御し得る。
【図面の簡単な説明】
【図１】本発明の一実施例による遠隔制御を遂行するシステムを説明するための概略的な図である。
【図２】本発明による図１に示した遠隔制御方法を説明するための流れ図である。
【図３】本発明の一実施例による遠隔制御システムを説明するための詳細図である。
【図４】ディスプレイ装置上にメインメニュ−がディスプレイされた状態示す図である。
【図５】本発明の他の一実施例であり遠隔制御システムを説明するための概略的な図である。
【図６】図５の遠隔制御システムを説明するための図である。
【符号の説明】
１００  リモコン
１０２  遠隔制御中継装置
１０４ａ，１０４ｂ，…１０４ｎ  ＡＶ機器
３００  メニュ−ディスプレイングキ−
３０２  カ−ソル移動手段
３０４  入力キ−
３０６  第１伝送手段
３０８  第１受信手段
３１０  ディスプレイ手段
３１２  貯蔵手段
３１４  第２伝送手段
３１６  制御手段
３１８ａ，３１８ｂ，…３１８ｎ  第２受信手段
【図１】
0003588385.tif 000002
【図２】
0003588385.tif 000003
【図３】
0003588385.tif 000004
【図４】
0003588385.tif 000005
【図５】
0003588385.tif 000006
【図６】
0003588385.tif 000007